(57)【要約】      （修正有）【課題】タブレットＰＣで作業を行う際、手元に段差を感じず、画面の中心点回転軸として自在に回転させて作業しても電源ケーブルが邪魔にならず、且つ斜めに起こして作業でき、立てることもできる作業台を提供する。【解決手段】台座１上の水平の定位置から斜めに立ち上がる回転台５に、回転コネクター６とリング軸受け７を介して回転板８を取り付ける。これにより回転板は自在に回転しつつ回転コネクターを通して給電される。台座の左右両端は少し厚いアームレスト部２となり、その内側面と回転板は段差と隙間なく正円弧で接し、これにより回転板が自在に回転する。回転板にはタブレットＰＣが隙間と段差なくぴったり納まる窪みがあり、一辺に回転板から給電される片起こし式のスロット型充電ドック１０があり、ここにタブレットＰＣを差し込み、充電ドックごと倒して窪みに嵌め、回転板から給電を受けつつタブレットＰＣを自在に回転させて作業を行う。【選択図】図１
2019053700.tif 000002
【特許請求の範囲】
【請求項１】
板状の台座に長い連結アームと短い連結アームを縦に設置し、この長短の連結アームを介して板状の回転台を台座に取り付ける。このとき上から見て長い連結アームを上方に、短い連結アームを下方に配置し、それぞれの上端をヒンジ乃至直交する回転軸と軸受けで台座に取り付け、また下端をヒンジ乃至直交する回転軸と軸受けで回転台に取り付ける。
これにより回転台を持ち上げると、それに連れて長短の連結アームが立ち上がって、回転台が少し浮き上がりつつ手前に傾きながら垂直近くまで立ち上がり、回転台を押し下げると、長短の連結アームが倒れて回転台が水平になり台座に密着する。
この回転台の中心に小孔があってここに回転コネクターを嵌め、その表面に回転コネクターを中心点として１個または大小複数のリング軸受けを同心円状に取り付け、さらにこの回転コネクターとリング軸受けを介して回転板を取り付ける。これにより回転板は回転台に密着しつつ回転コネクターを回転軸として自在に回転する。また回転コネクターの上端は回転板を貫通してその表面に露出し、下端は回転台の下面に露出する。
回転板の表面には、この装置が適合対象とするタブレットＰＣが段差なくぴったり納まる窪みがあり、また中心の回転コネクターの上端から伸びるＤＣ電源ケーブルが回転板の溝乃至横穴を通って当該タブレットＰＣの電源コネクター接続端子の位置まで伸び、その先端に当該タブレットＰＣ専用の電源コネクターが取り付けられ、これが接続端子の側に露出する。
また回転台の裏側に露出する回転コネクターの下端からは、ＤＣ電源ケーブルが装置の外側に伸びてＡＣ−ＤＣアダプターに繋がる。以上のように構成されたタブレットＰＣ用の回転作業台。
【請求項２】
請求項１の回転板のタブレットＰＣが納まる窪みの、この装置が適合対象とするタブレットＰＣの電源コネクターの接続端子のある辺に、当該タブレットＰＣに適合する片起こし式のスロット型充電ドックを取り付けてここにＤＣ電源ケーブルを繋ぎ、この充電ドックを起こして当該タブレットＰＣを差し込み、充電ドックごと当該タブレットＰＣを倒して窪みに嵌め込むようにした、請求項１のタブレットＰＣ用の回転作業台。
【請求項３】
請求項１及び２の板状の台座を横に長い長方形とし、その左右両端を少し厚くしてこれをアームレスト部とする。また回転板の形状をこの装置が適合対象とするタブレットＰＣの額縁を成す長方形の形状とし、その左右の短辺を回転板の回転軸を中心点とする正円弧状とする。また台座両端のアームレスト部の内側面を、回転板の回転軸を中心点とし、回転板左右の短辺の正円弧の直径と同じ直径の正円弧状とする。さらに台座と回転板の縦の幅を同寸とし、また左右のアームレスト部と回転板の高さを揃える。
これにより台座の長辺と回転板の長辺を揃え、長短の連結アームを畳んで回転台と回転板を台座に密着させたとき、回転板が台座の左右のアームレスト部の間に隙間と段差なくぴったり納まるようにする。このとき、回転板の左右の短辺と台座のアームレスト部の内側面との接触面が、回転板の回転軸を中心点とする正円弧状となるため、回転板は自在に回転できる。以上のように構成された請求項１及び２のタブレットＰＣ用の回転作業台。
【請求項４】
請求項３の短辺が正円弧状の回転板の長辺に、回転板の回転軸を中心点とする正円弧状の補助板を着脱式に取り付け、この補助板によって回転板が正円形となって、回転板をどの角度に回しても回転板と台座の左右のアームレストとの間に隙間が生じないようにし、且つ携帯時には取り外して横長の長方形を成す台座と回転板が一体化した形状となるようにした、請求項３のタブレットＰＣ用の回転作業台。
【請求項５】
請求項３の左右両端をアームレスト部とした台座の一部に、電子ペン用のペン立て乃至電子ペン用のペン立て型の充電ドックを１個乃至複数個取り付けた、請求項３及び４のタブレットＰＣ用回転作業台。
【発明の詳細な説明】
【技術分野】
【０００１】  本発明はタブレットＰＣを描画等のデザイン作業に使用する際の、作業用プラットホームに関するものである。
【背景技術】
【０００２】  近年タブレットＰＣの性能が向上し、これによりパソコンやパソコンに接続した描画専用のペンタブレットに替えて「アイパッド・プロ」等の高性能タブレットＰＣを描画等のデザイン作業に使用するプロのイラストレーターや漫画家、デザイナーが急増しており、また作品をフェイスブック等のＳＮＳで公開するハイアマチュアと称される人達や、作品をコミケットで販売するセミプロの漫画家も、多くがこうした高性能タブレットＰＣを使用している。
【発明の開示】
【発明が解決しようとする課題】
【０００３】  タブレットＰＣを描画等のデザイン作業に使用する際、紙にペンで絵を描くように電子ペンを用い、テーブルの上でしばしばタブレットＰＣを紙のように回転させて角度を変えながら作業するものである。この際、タブレットＰＣの側面に繋がっている電源ケーブルは作業中煩わしいものであり、しばしばテーブル上の飲み物を倒したりもする。【０００４】  またタブレットＰＣは厚さが比較的薄いものではあるが、紙と違い手元に段差が生じることは避けられず、この段差も作業中には煩わしいものである。【０００５】  また作業中にタブレットＰＣを回転させる際、回転軸が固定しているほうが手元がぶれず、細かい作業がしやすい。【０００６】  またタブレットＰＣを斜めに起こして作業する場合もあり、さらに製作中の作品を遠目に観察するためにタブレットＰＣを立位に固定したいときもある。【０００７】  しかしながら以上の条件、すなわちタブレットＰＣの縁に段差が生じず、画面の中心点を固定した回転軸として自在に回転し、尚かつ電源ケーブルが邪魔にならず、また斜めに起こし且つ立てることもできるということを、同時に実現するタブレットＰＣ用の作業用プラットホームはこれまでなかった。
【課題を解決するための手段】
【０００８】  横長の長方形の板状の台座の左右両端を少し厚くしてこれをアームレスト部とし、その間の平坦部に長い連結アームと短い連結アームを縦に平行に配置し、この長短の連結アームを介して台座に回転台を取り付ける。このとき上から見て長い連結アームを上方に、短い連結アームを下方に置き、それぞれの連結アームの上端をヒンジ乃至直交する回転軸と軸受けで台座に取り付け、下端を同様に回転台に取り付ける。【０００９】  これにより、回転台を持ち上げるとそれに連れて連結アームも立ち上がって回転台が少し浮き上がりつつ手前に傾きながら垂直近くまで立ち上がり、また回転台を押し倒すと連結アームも倒れて回転台が水平になり台座に密着する。【００１０】  回転台の中央には小孔があってここに回転コネクターを嵌め、さらに回転台の表面に回転コネクターを中心点として１個または大小複数のリング軸受けを同心円状に取り付け、このリング軸受けと回転コネクターを介して回転台に回転板を取り付ける。【００１１】  これにより回転板は回転台に密着しつつ自在に回転する。また回転コネクターの上端は回転板を貫通して回転板の表面に露出し、下端は回転台の下面に露出する。【００１２】  回転板は表面にこの装置が適合対象とする機種のタブレットＰＣが、段差なくぴったり納まる窪みを持つ額縁の形状を成す。また窪みの位置を、ここに嵌る当該タブレットＰＣのディスプレーの中心点が回転板の回転軸と重なるように設定する。【００１３】  また額縁状を成す回転板の左右の短辺を、回転板の回転軸を中心点とする正円弧状とし、さらに台座両端のアームレスト部の内側面を、回転板の左右の短辺の正円弧と直径を同じくする正円弧状にする。さらに回転板と左右のアームレスト部の高さを揃え、台座と回転板の縦の幅を同寸とする。【００１４】  これにより、回転板と台座の長辺を揃えたとき、回転板が台座左右のアームレスト部の間に隙間と段差なくぴったり納まり、しかも自在に回転できる。【００１５】  また回転板の表面に露出した回転コネクターからＤＣ電源ケーブルが出て、その先端に当該タブレットＰＣ用の電源コネクターがあり、これが回転板の溝乃至横穴を通って回転板の窪みに嵌った当該タブレットＰＣの電源コネクター接続端子の側に露出する。【００１６】  また回転台の裏側に露出した回転コネクターの下端からは、ＤＣ電源ケーブルが装置の裏側に伸びてＡＣ−ＤＣアダプターに繋がる。
【発明の効果】
【００１７】  本発明のタブレットＰＣ用の回転作業台を使用すると、両手首を置く左右のアームレスト部から回転板、さらに回転板に嵌ったタブレットＰＣのディスプレーに至るまで手に段差を感じることがなく、また電源ケーブルに煩わされずにタブレットＰＣを自在に回転させて描画作業ができる。【００１８】  またタブレットＰＣを回転させる際にも、ディスプレーの中心点が固定した回転軸となるので手元がぶれず、電子ペンによる細かい描画を安定して行える。さらにタブレットＰＣを斜めに起こして作業することも可能であり、またタブレットＰＣを立てて作品を観察することもできる。
【発明を実施するための最良の形態】
【００１９】  横長の長方形をした板状の台座１の左右両端を少し厚くして、これをアームレスト部２とし、アームレスト部２の間の平坦部の中央に、長い連結アーム３と短い連結アーム４を各２本ずつ縦に並行に設置し、この長短４本の連結アームを介して回転台５を台座１に取り付ける。【００２０】  このとき、上から見て長い連結アーム３を上方に、短い連結アーム４を下方に配置し、それぞれの連結アームの上端をヒンジ乃至直交する回転軸と軸受けで台座１に取り付け、下端を同様に回転台５に取り付ける。このとき各連結アームを直交する回転軸で取り付ける場合は、並列する同寸の連結アーム同士をその上端の直交する回転軸で繋げてもよい。【００２１】  これにより、回転台５を持ち上げるとそれに連れて長短の連結アームが立ち上がり、回転台５が少し浮き上がりつつ手前に傾きながら垂直近くまで立ち上がり、またこれを押し倒すと長短の連結アームが畳まれて回転台５は水平になって台座１に密着する。【００２２】  回転台５の中央には小孔があり、ここに回転コネクター６を嵌め、さらにこの回転コネクター６を中心点としてリング軸受け７を回転台５の表面に設置し、これら回転コネクター６とリング軸受け７を介して回転板８を回転台５に取り付ける。また回転コネクター６の上端は回転板８を貫通してその表面に露出し、下端は回転台５の下面に露出する。【００２３】  回転板８はこの装置が適合対象とする機種のタブレットＰＣ１７が段差なくぴったり納まる窪み９を持つ額縁の形状を成し、その左右の短辺は回転板８の回転軸を中心点とする正円弧状を成し、さらにその縦の幅を台座１の縦の幅と等しくする。また当該タブレットＰＣ１７のディスプレーの中心点が回転板８の回転軸と合致するように窪み９の位置を設定する。【００２４】  また台座１の左右のアームレスト部２と回転板８の高さを揃え、さらに左右のアームレスト部２の内側面を、回転板８の回転軸を中心点として回転板８の左右の短辺の正円弧と直径を等しくする正円弧状とし、回転板８の長辺を台座１の長辺に揃えて台座１に密着させたとき、回転板８の左右の正円弧状を成す短辺が、台座１の左右のアームレスト部２の内側面と隙間と段差なくぴったり接するようにする。【００２５】  回転板８の窪み９の、当該タブレットＰＣ１７の電源コネクターの接続端子がある辺に、当該タブレットＰＣ１７の機種に適合するスロット型の充電ドック１０を片起こし式に設置し、また回転板８の中央に露出する回転コネクター６からＤＣ電源ケーブル１１が伸びて、回転板８の横穴を通り、充電ドック１０に接続する。【００２６】  また回転台５の裏側に露出する回転コネクター６からは、ＤＣ電源ケーブル１１が装置の裏側に伸びてＡＣ−ＤＣアダプター１２に繋がる。【００２７】  また回転板８の上下の長辺に，回転板８の回転軸を中心点とする正円弧状の補助板１３を着脱式に取り付け、これにより回転板８が正円形となり、また正円弧状の補助板１３を取り外すと回転台５と回転板８が隙間と段差なく一体化した形状となる。【００２８】  また右側のアームレスト部２の右端上辺の角の位置に、電子ペン１４用のペン立て乃至電子ペン用のペン立て型の充電ドック１５を設置する。
【図面の簡単な説明】
【００２９】
【図１】  タブレットＰＣ用の回転作業台の斜視図である。
【図２】  タブレットＰＣ用の回転作業台の断面図であって、２−Ａは回転板を倒して台座に密着させた状態を表し電源ケーブルは省略した。２−Ｂは回転板を斜めに起こした状態を表す。
【図３】  タブレットＰＣ用の回転作業台の使用方法を表す鳥瞰図である。
【図４】  タブレットＰＣ用の回転作業台の回転板を立てた状態を表す斜視図である。
【符号の説明】
【００３０】    １      台座
２      アームレスト部
３      長い連結アーム
４      短い連結アーム
５      回転台
６      回転コネクター
７      リング軸受け
８      回転板
９      窪み
１０      スロット型の充電ドック
１１      ＤＣ電源ケーブル
１２      ＡＣ−ＤＣアダプター
１３      正円弧状の補助板
１４      電子ペン
１５      電子ペン用のペン立て乃至電子ペン用のペン立て型の充電ドック
１６      半ネジ
１７      タブレットＰＣ
【図１】
2019053700.tif 000003
【図２】
2019053700.tif 000004
【図３】
2019053700.tif 000005
【図４】
2019053700.tif 000006